(57)【要約】【課題】意匠的な変化に富んだ外観と、これまでにない大柄な模様を塀に付与することのできる笠木を提供する。【解決手段】塀２の上部に設けられる笠木１は、上部形状の異なる複数種類の笠木ブロック１Ａ、１Ｂ、１Ｃを連設して形成され、隣設する複数種類の笠木ブロック１Ａ、１Ｂ、１Ｃにより笠木１の上部に連続して湾曲する単位形状Ｗを形成する。【選択図】　　　　図１
2004011098.tif 000002
【特許請求の範囲】
【請求項１】
塀の上部に設けられる塀用笠木であって、該笠木は上部形状の異なる複数種類の笠木ブロックを連設して形成され、隣設する複数種類の笠木ブロックにより笠木の上部に連続して湾曲する単位形状を形成したことを特徴とする塀用笠木。
【発明の詳細な説明】
【０００１】
【発明の属する技術分野】
この発明は、ブロック等により構築された塀の上部に設けられる笠木であって、特に所定の大きさに形成された笠木ブロックを連設して形成した笠木に関するものである。
【０００２】
【従来の技術】
従来、特開２００１−３２５７８号公報に示されるように、ブロック塀等の上部に所定の大きさに形成された複数の笠木ブロックを連設して笠木を形成したものが知られている。
【０００３】
この従来技術によれば、個々の笠木ブロックは全て同じ形状のものなので、笠木ブロックを施工した後の塀は画一的な外観しか得られないものであった。また、笠木ブロック一つの大きさは施工作業性の観点から人が持ち運びできる程度に抑えられており、笠木に装飾を施す場合には、一つの笠木ブロックに収まる程度の形状あるいは細かな模様しか付与できないものであった。
【０００４】
【発明が解決しようとする課題】
本発明の目的は、意匠的な変化に富んだ外観と、これまでにない大柄な模様を塀に付与することのできる笠木を提供することにある。
【０００５】
【課題を解決するための手段】
本発明者は、このような事情に鑑み鋭意検討を重ねた結果、塀の上部に設けられる塀用笠木であって、該笠木は上部形状の異なる複数種類の笠木ブロックを連設して形成され、隣設する複数種類の笠木ブロックにより笠木の上部に連続して湾曲する単位形状を形成したことによって、所期の目的を達成したものである。
【０００６】
【作用】
この発明によれば、上部形状の異なる複数種類の笠木ブロックを連設することにより、隣設する笠木ブロックの間に跨って、連続的に形成される大きく湾曲した単位形状を笠木の上部に形成することができ、これまでにない大きな模様を塀に付与することができると共に、施工作業性も従来と変わらない笠木を提供することができる。
【０００７】
【発明の実施の形態】
以下、発明の実施の形態を実施例に基づき説明する。
図中１は本発明笠木を表わし、笠木１は塀２の上部に形状の異なる三種類の笠木ブロック１Ａ、１Ｂ、１Ｃを連設して形成されている。笠木ブロック１Ａ、１Ｂ、１Ｃは軽量モルタルによって形成され、さらに内部には中空部Ｔを形成して軽量化を図っている。
笠木ブロック１Ａ、１Ｂ、１Ｃは両側縁に水切り縁１２が形成され、上面１１に降った雨水が側面１３の表面を流れ落ちることによる雨染の付着を防止している。笠木ブロック１Ａ、１Ｂ、１Ｃの横幅は施工のし易さから、塀２を形成するブロック２１の幅と略同じとしている。
【０００８】
笠木ブロック１Ａの端面１４Ａと１５Ａは同じ形状であり、笠木ブロック１Ａの上部１１は端面が同じ高さとされ、端面１４Ａと１５Ａの間は湾曲した凸形状であり、中央部分が上方に向けて膨らんで形成されている。
【０００９】
笠木ブロック１Ｂの端面１４Ｂと１５Ｂは、１５Ｂが１４Ｂよりも高さを低く形成され、笠木ブロック１Ｂの上部１１は湾曲した凸形状であり、端面１４Ｂから１５Ｂにかけて緩やかに下降している。笠木ブロック１Ｂの端面１４Ｂの形状は笠木ブロック１Ａの端面１４Ａ、１５Ａの形状と同じである。
【００１０】
笠木ブロック１Ｃの端面１４Ｃと１５Ｃは、１５Ｃが１４Ｃよりも高さを低く形成され、笠木ブロック１Ｃの上部１１は湾曲した凹形状であり、端面１４Ｃから１５Ｃにかけて緩やかに下降している。笠木ブロック１Ｃの端面１４Ｃの形状は笠木ブロック１Ｂの端面１５Ｂの形状と同じである。
【００１１】
よって、笠木ブロック１Ａの端面１４Ａ、１５Ａと笠木ブロック１Ｂの端面１４Ｂを接合して連設し、笠木ブロック１Ｂの端面１５Ｂと笠木ブロック１Ｃの端面１４Ｃを接合して連設することにより、段差無く上部が連なった形状を笠木１に付与することができる。そして笠木ブロック１Ａ、１Ｂ、１Ｃにより笠木１の上部に連続して湾曲する単位形状Ｗを形成することができる。
図１において左から笠木ブロック１Ａ、１Ｂ、１Ｃの順によって単位形状Ｗが形成されており、それ以降は反転を繰り返して１Ｃ→１Ｂ→１Ａ→１Ａ→１Ｂ→１Ｃ→１Ｃ→１Ｂ・・・となり、単位形状Ｗが繰り返し形成される。
【００１２】
次に、各笠木ブロック１Ａ、１Ｂ、１Ｃと塀２との接合方法について説明する。
各笠木ブロック１Ａ、１Ｂ、１Ｃの下面にはリング状のアンカー部材３が螺子等の固定部材４によって固着されており、塀２の上端に形成した凹部２２と笠木ブロック１Ａ、１Ｂ、１Ｃの下面との間に充填されるモルタルＭの中に埋設して、アンカー部材３が固定され、笠木ブロック１Ａ、１Ｂ、１Ｃが塀２の上部に固定される。なお、アンカー部材３のリング内に塀２を構築する際の鉄筋を挿通して固定すれば、笠木ブロック１Ａ、１Ｂ、１Ｃの固定強度をさらに高めることができる。
塀２の上部に笠木ブロック１Ａ、１Ｂ、１Ｃの固定が完了した後に、塀２と笠木ブロック１Ａ、１Ｂ、１Ｃの表面に湿式仕上塗材を塗布して塀２と笠木ブロック１Ａ、１Ｂ、１Ｃが一体であるかのような外観を表出することもでき、塀２のリフォームに好適である。
【００１３】
以上の構成からなる、本発明笠木１によれば、上部形状の異なる複数の笠木ブロック１Ａ，１Ｂ，１Ｃを連設して形成することにより、隣設する笠木ブロック１Ａ，１Ｂ，１Ｃの上部１１間に跨って、連続的に大きく湾曲した単位形状Ｗを形成することができる。
【００１４】
なお、笠木ブロック１Ａ，１Ｂ，１Ｃの上部形状は上記実施例に限定されることなく、種々の形状を施すことができる。要するに複数種類の笠木ブロックを連設することにより、笠木１の上部に湾曲した単位形状が表出できるものであれば構わない。
また、三種類の笠木ブロック１Ａ，１Ｂ，１Ｃを使用したが二種類以上であればいくつでも構わない。笠木ブロック１Ａ，１Ｂ，１Ｃの材質は軽量モルタルの他コンクリート、合成樹脂材料等によっても造ることができる。笠木ブロック１Ａ，１Ｂ，１Ｃの大きさについても、施工作業に問題を来たさない範囲で適宜変更することができる。
【００１５】
【発明の効果】
本発明塀用笠木によれば、笠木は上部形状の異なる複数種類の笠木ブロックを連設して形成され、隣設する複数種類の笠木ブロックにより笠木の上部に連続して湾曲する単位形状を形成しているので、隣設する笠木ブロックの間に跨って形成される大きく湾曲した単位形状を笠木の上部に形成することができ、施工作業性も従来と変わらない笠木を提供することができる。
【図面の簡単な説明】
【図１】本発明塀用笠木を施工した状態を表す説明図
【図２】本発明塀用笠木を形成する三種類の笠木ブロック１Ａ、１Ｂ、１Ｃの正面図と側面図
【図３】本発明塀用笠木における笠木ブロックと塀の接合状態を表す側面から見た説明図
【図４】図３におけるＡ−Ａ線断面図
【符号の説明】
１　　　笠木
１Ａ、１Ｂ、１Ｃ　　　笠木ブロック
２　　　塀
Ｗ　　　単位形状
【図１】
2004011098.tif 000003
【図２】
2004011098.tif 000004
【図３】
2004011098.tif 000005
【図４】
2004011098.tif 000006